(57)【要約】【課題】より効率良く蚊を駆除可能な蚊駆除装置を提供する。【解決手段】実施例１の蚊駆除装置は、黒色を呈する第１〜４電撃部材１ａ〜１ｄと、給電装置３と、太陽光発電パネル５とを備えている。第１〜４電撃部材１ａ〜１ｄは、電撃プレート７が表面及び裏面に設けられた基材９で構成されている。電撃プレート７は、基板１１と、基板１１の表面に印刷された電撃グリッド１３とからなる。電撃グリッド１３は、正極導線部１５と負極導線部１７とで構成されている。給電装置３は制御装置２９を有しており、制御装置２９には正極及び負極が設けられている。各正極導線部１５における第１電極１５ｃ及び各負極導線部１７における第２電極１７ｃは、それぞれ制御装置２９の正極又は負極と電気的に接続されている。この蚊駆除装置では、第１〜４電撃部材１ａ〜１ｄに作用するクーロン力によって、蚊１９を吸引しつつ電撃することが可能となっている。【選択図】図１
2013014760.tif 000002
【特許請求の範囲】
【請求項１】
正極に接続される正極導線部と、負極に接続される負極導線部とを有する電撃グリッドを備え、
前記正極導線部及び前記負極導線部は、蚊よりも狭い幅で互いに平行に延び、通電が行われることによって生じるクーロン力によって近傍の該蚊を吸引しつつ該蚊を電撃可能であることを特徴とする蚊駆除装置。
【請求項２】
基板と、該基板の表面に形成された前記電撃グリッドとからなり、該基板の少なくとも該表面及び該電撃グリッドが暗色を呈している電撃プレートを備え、
前記基板は正又は負に帯電している請求項１記載の蚊駆除装置。
【請求項３】
前記基板は樹脂製である請求項２記載の蚊駆除装置。
【請求項４】
前記基板は可撓性のあるフィルムからなる請求項２又は３記載の蚊駆除装置。
【請求項５】
前記電撃グリッドは前記基板に印刷されている請求項２乃至４のいずれか１項記載の蚊駆除装置。
【請求項６】
前記電撃プレートは前記蚊が出入可能な出入口をもつ誘引室を形成している請求項２乃至５のいずれか１項記載の蚊駆除装置。
【請求項７】
前記誘引室は、筒状をなして水平方向に延び、一端と他端とが互いに対面する前記出入口とされている請求項６記載の蚊駆除装置。
【請求項８】
前記誘引室は互いに交差する少なくとも２枚の板材によって形成され、前記板材は前記電撃プレートを有する請求項７記載の蚊駆除装置。
【請求項９】
前記正極導線部と前記負極導線部との間には、給電装置により１０００Ｖ〜６０００Ｖの電圧が印加される請求項１乃至８のいずれか１項記載の蚊駆除装置。
【請求項１０】
前記給電装置は、太陽光発電パネルと、該太陽光発電パネルで生じた起電力を蓄電可能なバッテリとを有している請求項９記載の蚊駆除装置。
【発明の詳細な説明】
【技術分野】
【０００１】
本発明は蚊駆除装置に関する。
【背景技術】
【０００２】
蚊は、動物の血液を求めて飛来し、人間に対して吸血を行うことから、不快昆虫の一種とされている。また、この蚊の吸血行為により、家畜等の動物と人間との間又は人間同士の間で、伝染病を発病させる病原体が運搬され、例えば、デング熱、マラリア、西ナイル熱等の伝染病が広範囲に拡大する問題もある。これらのため、従来から、種々の蚊駆除装置が開発され、蚊の駆除が行われている。【０００３】
また、近年では、蚊に関する研究も進められ、蚊は人体等から発せられる二酸化炭素に引き寄せられる等の蚊の生態が明らかとなってきた。そこで、このような蚊の生態に関する研究に基づき、蚊の駆除を行うことが可能な蚊駆除装置も開発されている。このような蚊駆除装置としては、例えば、特許文献１に示す蚊駆除装置を挙げることができる。この蚊駆除装置は、電撃グリッドと誘引室とを備えている。電撃グリッドは、正極に接続される正極導線部と、負極に接続される負極導線部とを有し、誘引室内に設けられている。また、誘引室には、二酸化炭素を放出するための放出口が形成されている。さらに、電撃グリッドの近傍には電気ヒータが設けられている。【０００４】
この蚊駆除装置では、正極導線部及び負極導線部に通電を行うことにより、電撃グリッドに接触又は近接した蚊を電撃することが可能となっている。この際、この蚊駆除装置では、電気ヒータによって加温された二酸化炭素を誘引室の周囲に放出することで、蚊を誘引室内に誘い込むことが可能になっている。これにより、この蚊駆除装置によれば、効率よく蚊を駆除することが可能である。
【先行技術文献】
【特許文献】
【０００５】
【特許文献１】特許第３５２０９６３号公報
【発明の概要】
【発明が解決しようとする課題】
【０００６】
しかし、より効率良く蚊を駆除可能な蚊駆除装置が求められている。【０００７】
本発明は、上記従来の実情に鑑みてなされたものであって、より効率良く蚊を駆除可能な蚊駆除装置を提供することを解決すべき課題としている。
【課題を解決するための手段】
【０００８】
本発明の蚊駆除装置は、正極に接続される正極導線部と、負極に接続される負極導線部とを有する電撃グリッドを備え、
前記正極導線部及び前記負極導線部は、蚊よりも狭い幅で互いに平行に延び、通電が行われることによって生じるクーロン力によって近傍の該蚊を吸引しつつ該蚊を電撃可能であることを特徴とする（請求項１）。【０００９】
発明者らは、効率良く蚊を駆除可能な蚊駆除装置を開発するにあたり、蚊の駆除を行う電撃グリッドに着目した。すなわち、発明者らの知見では、電撃グリッド近くの空気中を飛翔する蚊は、静電誘導又は誘電分極によって僅かながらでも正極又は負極に帯電する。このため、発明者らは、電撃グリッドに通電した際に正極導線部や負極導線部を含む電撃グリッド周辺に作用するクーロン力（静電気力）に着目し、本発明を完成させた。【００１０】
本発明の蚊駆除装置では、電撃グリッド周辺に作用するクーロン力により、電撃グリッドの近傍を飛翔する蚊を電撃グリッドに吸引させることが可能になっている。そして、電撃グリッドに吸引された蚊は、正極導線部及び負極導線部が蚊よりも狭い幅で互いに平行に延びていることから、正極導線部と負極導線部とに接触し、電撃される。【００１１】
したがって、本発明の蚊駆除装置によれば、より効率良く蚊を電撃可能である。【００１２】
発明者等の確認によれば、蚊は通常、地上から８０ｃｍ程度までの高さで飛行していることが多い。このため、蚊駆除装置は、地上から８０ｃｍ程度までの高さに設けることが好ましい。【００１３】
電撃グリッドの正極導線部や負極導線部は、例えば、黒鉛や各種の金属粉等を含有する導電材料によって得ることができる。また、所定の形状に形成された導線の他、エッチング加工によって所定の形状に形成された金属板等によって、正極導線部や負極導線部を得ることもできる。さらに、後述するように、基板に対して電撃グリッドを印刷によって形成することも可能である。【００１４】
本発明の蚊駆除装置では、正極導線部及び負極導線部は蚊よりも狭い幅で互いに平行に延びている。具体的には、正極導線部及び負極導線部は５ｍｍ未満の幅で隔てられていることが好ましい。正極導線部及び負極導線部は種々の形状とすることができる。例えば、正極導線部と負極導線部とが互いに噛み合った櫛歯形状とすることができる他、正極導線部と負極導線部とによる二重の渦巻き形状等とすることもできる。【００１５】
上記のように、本発明の蚊駆除装置は、蚊の本能に依らず、電撃グリッドの周囲に作用するクーロン力によって電撃グリッドに蚊を吸引させつつ電撃する点において、上記従来の蚊駆除装置のように、放出した二酸化炭素によって、蚊を本能的に電撃グリッドの周囲に誘い込む蚊駆除装置と相違する。なお、本発明の蚊駆除装置においても、二酸化炭素を放出するための二酸化炭素発生手段や、３５〜５５°Ｃ程度の熱を発生可能な温熱発生手段等を別途備えても良い。この場合の蚊駆除装置では、二酸化炭素や温熱により、電撃グリッドの近傍まで蚊を誘い込みつつ、最終的にはクーロン力によってその蚊を電撃グリッドに吸引し、蚊を電撃することができる。【００１６】
本発明の蚊駆除装置は、基板と、基板の表面に形成された電撃グリッドとからなり、基板の少なくとも表面及び電撃グリッドが暗色を呈している電撃プレートを備え得る。そして、基板は正又は負に帯電していることが好ましい（請求項２）。【００１７】
蚊は、自然界においても物陰等の暗部に集まる習性があることから、暗色を好む傾向がある。そこで、基板の表面や電撃グリッドを暗色とすることにより、蚊を本能的に電撃プレートに誘い込むことも可能となる。また、基板が帯電していることから、電撃グリッドの周囲のみで作用するクーロン力と比較して、電撃プレートに作用するクーロン力がより強くなる。このため、より広い範囲において、電撃プレートに蚊を吸引させることが可能となる。これらのため、このような電撃プレートを備えることで、蚊駆除装置は、より一層効率良く蚊を電撃することが可能となる。【００１８】
基板は、電撃グリッドが蚊を電撃する際に浮遊電子と陽イオンとを放出すると考えられ、これら浮遊電子又は陽イオンによって帯電すると考えられる。この際、基板にアース接続を行わないことにより、基板には電荷が蓄積される。基板に蓄えられている電荷をＱ（Ｃ）、電位をＶ（Ｖ）、基板の静電容量をＣ（Ｆ）とすると、Ｑ＝ＶＣが成立する。基板の静電容量Ｃは一定と考えられるため、電荷Ｑは電圧Ｖに比例することとなる。このため、電撃グリッドに印加される電圧が高ければ、基板に蓄積される電荷が多くなり、より大きなクーロン力を生じると考えられる。【００１９】
摩擦によって基板に対して静電気を発生させる静電気発生手段等を設けることも可能である。このように基板を帯電させるためには、表１に示す帯電列において、帯電し易い材料で基板を得る一方、その基板とは逆に帯電し易い摩擦材を採用することが好ましい。【００２０】
【表１】
2013014760.tif 000003
【００２１】
暗色とは、黒色、濃青色、濃茶色、暗灰色等、明度を低下させた色を意味する。また、本発明の蚊駆除装置は、一枚の電撃プレートを備える構成としても良く、二枚以上の電撃プレートを備える構成としても良い。【００２２】
基板は、平板形状であっても良く、湾曲形状であっても良い。また、基板は、矩形や円形等、種々の形状をなすことができる。さらに、基板の厚さについても適宜設計することができる。【００２３】
発明者らの確認によれば、基板の表面には光沢がある方が光沢がない場合よりも多くの蚊を引き寄せることができる。このため、基板の表面は光沢を有している方がより好ましい。【００２４】
基板は樹脂製であることが好ましい（請求項３）。樹脂製であれば、基板は帯電し易くなり、電撃プレートに作用するクーロン力を高めることが可能となる。また、樹脂は金属と比較して加工が容易であることから、電撃プレートを容易に得ることも可能となる。このような樹脂としては、例えば、ポリ塩化ビニル、ポリエチレンの他、ポリエチレンテレフタラート等を採用することができる。【００２５】
樹脂によって基板を得る場合、例えば、プラスチック製段ボール材（以下、プラダンという。）によって基板を得ることができる。また、フィルムによって基板を得ることも可能である。この場合、基板は、可撓性のあるフィルムからなることが好ましい（請求項４）。可撓性のあるフィルムによって得られることで、基板、ひいては電撃プレートが可撓性を有することとなる。この場合、曲げ加工等が容易となり、電撃プレートを種々の形状とすることが可能となる。【００２６】
基板の表面に電撃グリッドを形成する手段としては、例えば、上記の導線や金属板を基板の表面に貼着することが挙げられる。これらの導線や金属板の貼着は、基板に対する曲げ加工等が施される前に行われても良く、曲げ加工等が施された後であっても良い。【００２７】
電撃グリッドは基板に印刷されていることが好ましい（請求項５）。この場合、導線や金属板を貼着する場合と比較して、より効率良く基板の表面に電撃グリッドを形成することが可能となる。また、印刷によって電撃グリッドを形成した場合、導線等を貼着することによって電撃グリッドを形成した場合と比較して、基板の加工や経年変化等によって生じる基板表面からの電撃グリッドの剥離等の問題も生じ難くなる。なお、このように基板の表面に電撃グリッドを印刷するに際しては、上記の導電材料をインクとして採用することができる。【００２８】
電撃プレートは蚊が出入可能な出入口をもつ誘引室を形成していることが好ましい（請求項６）。電撃プレートにおける基板の表面や電撃グリッドは暗色を呈していることから、蚊は出入口を介して誘引室に誘い込まれ易くなる。つまり、電撃プレートや電撃グリッドの近傍に蚊を誘い込み易くなり、効率よく蚊を電撃グリッドに吸引させつつ電撃することが可能となる。【００２９】
ここで、電撃グリッドは誘引室内に設けられても良く、誘引室外に設けられても良い。また、電撃グリッドは、誘引室内及び誘引室外の両方に設けられても良い。電撃グリッドが誘引室内に設けられた場合には、出入口から誘引室内に侵入した蚊を電撃グリッドに吸引させて電撃することが可能となる。一方、電撃グリッドが誘引室外に設けられた場合には、出入口から誘引室内に侵入しようとする蚊について、誘引室内に進入する前に電撃グリッドに吸引させて電撃できる他、出入口から誘引室の外に脱出した蚊を電撃グリッドに吸引させて電撃することも可能となる。さらに、電撃グリッドが誘引室内及び誘引室外の両方に設けられた場合には、誘引室内に侵入した蚊だけでなく、誘引室内に侵入しようとする蚊や誘引室から脱出した蚊についてもそれぞれ電撃グリッドに吸引させて電撃することが可能となる。【００３０】
発明者らの知見によれば、出入口は、地上から５ｃｍ〜２００ｃｍの高さに開口していることが好ましい。また、発明者らの知見では、蚊は不規則な方向で飛来するのではなく、興奮状態にない時には、水平方向に飛行する傾向が強く、また、蚊は先の見通せない方向には飛行しない傾向が強い。これらのため、誘引室は、筒状をなして水平方向に延び、一端と他端とが互いに対面する出入口とされていることが好ましい（請求項７）。このように一端と他端とが互いに対面することで、一端側から他端側を見通せることとなり、蚊がより好んで誘引室に誘い込まれるようになる。【００３１】
上記のように誘引室を形成する場合、誘引室は互いに交差する少なくとも２枚の板材によって形成され得る。板材は電撃プレートを有することが好ましい（請求項８）。この場合、蚊駆除装置は、２枚以上の電撃プレートを備えることなり、各電撃プレートにそれぞれ蚊を吸引し、効率よく蚊を電撃することが可能となる。【００３２】
この場合の蚊駆除装置における誘引室の形状、すなわち、各板材同士を交差させる際における各板材の配置は任意に設計することが可能である。例えば、上面視でＸ字状やＹ字状の他、＋形状や米形状に各板材を配置することができる。また、各板材における表面、つまり各板材において電撃グリッドが形成される表面は、地面に対して垂直な状態であっても良く、地面に対して垂直以外の状態であっても良い。【００３３】
また、正極導線部と負極導線部との間には、給電装置により１０００Ｖ〜６０００Ｖの電圧が印加されることが好ましい（請求項９）。この場合、電撃グリッドの周囲に作用するクーロン力が大きくなることで、電撃グリッドに蚊を吸引させつつ電撃し易くなる。また、電撃を受けた蚊は、高電圧により焼殺されて炭化し易い。このように炭化した蚊の死骸は、自然風により大気中に拡散等されることとなる。このため、この蚊駆除装置では、電撃グリッドに蚊の死骸が残存し難くなり、別途にメンテナンス等を必要とせずに、電撃グリッドを清潔に保つことが可能となることから、長期間に亘って効率よく蚊を吸引しつつ電撃することが可能となる。【００３４】
炭化した蚊の死骸がクーロン力によって電撃グリッドに吸着することを防止するため、正極導線部及び負極導線部に対する電圧の印加、すなわち、正極導線部及び負極導線部に対する通電を一時的に停止することも好ましい。これにより、電撃グリッドの周囲にクーロン力を作用させる場合と作用させない場合とを切り替えることが可能となり、蚊の死骸が電撃グリッドに吸着することを好適に防止することが可能となる。【００３５】
給電装置としては、バッテリや商用電源を採用することが可能である。給電装置としては、直流電流を採用することが可能である。商用電源としては、火力、水力、原子力等の既存の設備で発電した電力を採用できる他、地熱、風力等の次世代エネルギーを利用した設備で発電した電力を採用し得る。特に、給電装置は、太陽光発電パネルと、太陽光発電パネルで生じた起電力を蓄電可能なバッテリとを有していることが好ましい（請求項１０）。【００３６】
この場合、電撃グリッドに蚊を吸引させつつ電撃するために必要な電力について、別途の費用を必要とすることなく調達することが可能となる。また、バッテリが太陽光発電パネルで生じた起電力を蓄電可能となっていることから、例えば、昼間の屋外で本発明の蚊駆除装置を使用し、夜間の屋外や屋内では、バッテリに蓄えられた電力を利用して本発明の蚊駆除装置を使用するという方法も可能となる。
【発明の効果】
【００３７】
本発明の蚊駆除装置によれば、より効率良く蚊を電撃可能である。
【図面の簡単な説明】
【００３８】
【図１】実施例１の蚊駆除装置を示す斜視図である。
【図２】実施例１の蚊駆除装置に係り、電撃グリッドを示す拡大図である。図２の（Ａ）は電撃グリッドの拡大正面図を示しており、図２の（Ｂ）は図（Ａ）におけるＢ−Ｂ’方向の拡大断面図を示している。
【図３】実施例１の蚊駆除装置を示す断面図である。
【図４】実施例２の蚊駆除装置を示す正面図である。
【図５】実施例３の蚊駆除装置を示す正面図である。
【図６】実施例４の蚊駆除装置を示す斜視図である。
【図７】実施例５の蚊駆除装置を示す斜視図である。
【図８】実施例６の蚊駆除装置を示す斜視図である。
【発明を実施するための形態】
【００３９】
以下、本発明を具体化した実施例１〜６を図面を参照しつつ説明する。
【００４０】
（実施例１）
図１に示すように、実施例１の蚊駆除装置は、板材としての第１〜４電撃部材１ａ〜１ｄと、給電装置３と、太陽光発電パネル５とを備えている。
【００４１】
第１〜４電撃部材１ａ〜１ｄはいずれも矩形の板状をなしている。第１〜４電撃部材１ａ〜１ｄの構成は同じである。以下、図２（Ａ）及び図２（Ｂ）を基に、第１電撃部材１ａを例に具体的に説明する。第１電撃部材１ａは、図２（Ｂ）に示すように、基材９と、基材９の表面及び裏面に貼着された電撃プレート７とからなる。
【００４２】
基材９は、水平方向に延びる無数の空間９ａが形成され、表面が黒色をなすプラダン（東洋ユニコン（株）、ポリプロピレン製）からなる。基材９は高さＨが約８０ｃｍとされた矩形形状をなしている。
【００４３】
各電撃プレート７は、基板１１と、基板１１の表面に印刷された電撃グリッド１３とからなる。基板１１は黒色で光沢を有するポリエチレン製のフィルムである。この基板１１は可撓性を有している。電撃グリッド１３は黒鉛や各種の金属粉等を含有する導電材料が基板１１の表面に印刷されることで形成されている。なお、基板１１に電撃グリッド１３を印刷する方法としては、例えばスクリーン印刷等を採用することができる。
【００４４】
電撃グリッド１３は、図２（Ａ）に示すように、正極導線部１５と負極導線部１７とで構成されている。正極導線部１５は、基板１１上で上下方向で直線状に形成された第１基部１５ａと、一端側で第１基部１５ａに直角に接続するとともに、他端側が水平に延びる複数の第１導線部１５ｂとを有している。各第１導線部１５ｂ同士は平行となっている。また、第１基部１５ａの下端には第１電極端子１５ｃが形成されている。負極導線部１７も同様に、基板１１上で上下方向で直線状に形成された第２基部１７ａと、一端側で第２基部１７ａに直角に接続するとともに、他端側が水平に延びる複数の第２導線部１７ｂとを有している。各第２導線部１７ｂ同士も平行となっている。また、第２基部１７ａの下端には第２電極端子１７ｃが形成されている。各第１導線部１５ｂと各第２導線部１７ｂとは、互いに噛み合わさるように配置されている。このため、電撃グリッド１３は、基板１１上において、第１導線部１５ｂと第２導線部１７ｂとが互いに噛み合った櫛歯形状を呈している。各第１導線部１５ｂと各第２導線部１７ｂとの幅αは、蚊１９よりも狭い５ｍｍ未満に形成されている。また、正極導線部１５及び負極導線部１７を構成する導電部材は黒鉛を含有していることから、電撃グリッド１３も黒色を呈している。
【００４５】
図１に示すように、第１電撃部材１ａと、第２電撃部材１ｂとは連結軸２１ａ、２１ｂによって互いに接続されている。同様に、第３電撃部材１ｃと、第４電撃部材１ｄとは連結軸２１ｃ、２１ｄによって互いに接続されている。これら第１、２電撃部材１ａ、１ｂの集合体と、第３、４電撃部材１ｃ、１ｄの集合体とは、下皿２３内において互いに直交するように配置されている。これにより、この蚊駆除装置を上面視した場合、第１〜４電撃部材１ａ〜１ｄは、下皿２３内において、Ｘ字状に配置されている。下皿２３は地面上に配置されている。下皿２３も黒色を呈している。下皿２３には、後述するリード線３５ａ、３５ｂ、３５ｅ、３５ｆ等が挿通される挿通孔２３ａが形成されている。第１〜４電撃部材１ａ〜１ｄは、下皿２３に固定され、地面に対して垂直に立設されている。
【００４６】
このように第１〜４電撃部材１ａ〜１ｄが配置されることにより、第１電撃部材１ａの表面側と第４電撃部材１ｄの裏面側との間に第１誘引室２５ａが形成されている。同様に、第４電撃部材１ｄの表面側と第２電撃部材１ｂの表面側との間に第２誘引室２５ｂが形成され、第２電撃部材１ｂの裏面側と第３電撃部材１ｃの表面側との間に第３誘引室２５ｃが形成されている。また、第３電撃部材１ｃの裏面側と第１電撃部材１ａの裏面側との間に第４誘引室２５ｄが形成されている。また、第１〜４電撃部材１ａ〜１ｄの高さが約８０ｃｍであることから、第１〜４誘引室２５ａ〜２５ｄは地面から約８０ｃｍの高さに開口した状態となっている。
【００４７】
また、第１電撃部材１ａと第２電撃部材１ｂとの間と、第３電撃部材１ｃと第４電撃部材１ｄとの間とには、空間２７が形成されている。第１〜４誘引室２５ａ〜２５ｄは、この空間２７によって互いに連通している。また、この空間２７により、一端側となる第１誘引室２５ａから他端側となる第３誘引室２５ｃを水平方向に見通すことが可能となっている。同様に、一端側となる第２誘引室２５ｂから他端側となる第４誘引室２５ｄを水平方向に見通すことも可能となっている。
【００４８】
図３に示すように、給電装置３はハウジング３ａを有している。また、給電装置３は、ハウジング３ａ内に、制御装置２９と、公知のバッテリ３１とを内蔵している。制御装置２９とバッテリ３１とはリード線３３ａ、３３ｂを介して電気的に接続されている。また、バッテリ３１は、リード線３３ｃ、３３ｄを介して、図１に示す太陽光発電パネル５と電気的に接続されている。これにより、バッテリ３１は、太陽光発電パネル５で生じた起電力を蓄電可能になっている。この太陽光発電パネル５は公用品が採用されている。図３に示すように、制御装置２９は公知の昇圧回路としての機能を有している。制御装置２９の正極には各リード線３５ａ〜３５ｊ等の各一端が接続され、各リード線３５ａ〜３５ｊ等の他端は第１〜４電撃部材１ａ〜１ｄの各第１電極端子１５ｃと電気的に接続されている。また、制御装置２９の負極には各リード線３５ｅ〜３５ｈ等の各一端が接続され、各リード線３５ｅ〜３５ｄ等の他端は第１〜４電撃部材１ａ〜１ｄの各第２電極端子１７ｃと電気的に接続されている。第１〜４電撃部材１ａ〜１ｄでは、それぞれ地面等に対するアース接続を行っていない。
【００４９】
制御装置２９は、バッテリ３１から電力の供給を受けることで、第１〜４電撃部材１ａ〜１ｄに対し、１０００Ｖ〜６０００Ｖの間で昇圧及び変圧された電圧をそれぞれへ印加することが可能となっている。また、この制御装置２９は、第１〜４電撃部材１ａ〜１ｄに対する通電と、その停止とを時限式で切り替えることが可能となっている。なお、通電と停止との間隔は任意に設定可能となっている。
【００５０】
これらのように構成された蚊駆除装置では、以下のように蚊１９を電撃することにより蚊１９の駆除を行う。
【００５１】
まず、図１に示すように、この蚊駆除装置では、第１〜４誘引室２５ａ〜２５ｄが黒色を呈しているとともに、地面から約８０ｃｍの高さに開口している。また、第１〜４誘引室２５ａ〜２５ｄ同士が互いに連通し、一端側となる第１、２誘引室２５ａ、２５ｂから他端側となる第３、４誘引室２５ｃ、２５ｄをそれぞれ見通すことが可能となっている。これらのため、この蚊駆除装置では、蚊１９が本能的に第１〜４誘引室２５ａ〜２５ｄに誘い込まれ易い。この際、第１〜４電撃部材１ａ〜１ｄが黒色を呈しており、各基板１１、すなわち、第１〜４電撃部材１ａ〜１ｄの表面及び裏面が光沢を有していることから、第１〜４誘引室２５ａ〜２５ｄに進入した蚊１９が第１〜４電撃部材１ａ〜１ｄを警戒し難くなり、第１〜４電撃部材１ａ〜１ｄの近傍に蚊１９が集まり易い。
【００５２】
そして、制御装置２９は１０００Ｖ〜６０００Ｖの間、例えば３０００Ｖに昇圧した状態で、第１〜４電撃部材１ａ〜１ｄに電圧を印加している。これにより、第１〜４電撃部材１ａ〜１ｄでは、各電撃グリッド１３の正極導線部１５及び負極導線部１７に約３０００Ｖの高電圧が印加された状態となっている。また、この電圧の印加により、正極導線部１５及び負極導線部１７の近傍にはクーロン力が作用することとなる。このため、第１〜４誘引室２５ａ〜２５ｄに誘引された蚊１９は、図３に示すように、正極導線部１５及び負極導線部１７に吸引させられ、正極導線部１５及び負極導線部１７に接触し、電撃されることとなる。この際、第１〜４電撃部材１ａ〜１ｄの両面で蚊１９をそれぞれ電撃することが可能であるため、効率良く蚊１９を電撃することが可能となっている。また、各正極導線部１５及び各負極導線部１７には、３０００Ｖの高電圧が印加されていることから、電撃を受けた蚊１９は、高電圧により焼殺されて炭化し易くなる。
【００５３】
特に、この蚊駆除装置では、各基板１１がポリエチレン製のフィルムであることから、各基板１１自体も静電気を帯電し易くなっている。また、各基板１１が貼着された基材９もプラダンであることから、同じく静電気を帯電し易くなっている。さらに、この蚊駆除装置では、第１〜４電撃部材１ａ〜１ｄがアース接続されていないことから、基板１１や基材９に生じた静電気は、そのまま基板１１等に帯電した状態となる。これらにより、この蚊駆除装置では、蚊１９を第１〜４電撃部材１ａ〜１ｄに吸着させ易くなっている。
【００５４】
このように、この蚊駆除装置では、黒色を呈する第１〜４誘引室２５ａ〜２５ｄ等により、第１〜４電撃部材１ａ〜１ｄの近傍まで蚊１９を本能的に誘い込みつつ、最終的にはクーロン力によってその蚊１９を第１〜４電撃部材１ａ〜１ｄに吸引し、電撃することが可能となっている。
【００５５】
したがって、実施例１の蚊駆除装置によれば、より効率良く蚊１９を電撃可能である。
【００５６】
特に、この蚊駆除装置において、基板１１はフィルムによって得られており、可撓性を有している。このため、基材９の両面に対する基板１１の貼着等の加工が容易となっている。
【００５７】
また、この蚊駆除装置では、電撃グリッド１３が基板１１に印刷されることで形成されている。このため、効率良く基板１１の表面に電撃グリッド１３を形成することが可能となっている。また、このように印刷によって電撃グリッド１３を形成することで、基板１１の加工や経年変化等によって生じる基板１１表面からの電撃グリッド１３の剥離等の問題も生じ難くなっている。
【００５８】
さらに、各正極導線部１５及び各負極導線部１７に対し、給電装置３が１０００Ｖ〜６０００Ｖの電圧を印加することが可能となっている。これにより、焼殺された蚊１９の死骸は、自然風により大気中に拡散等される。この際、制御装置２９により、各正極導線部１５及び各負極導線部１７に対する通電が定期的に停止されるため、第１〜４電撃部材１ａ〜１ｄの周囲に作用するクーロン力が一時的に減少又は消失することとなる。これにより、この蚊駆除装置では、クーロン力によって、蚊１９の死骸が第１〜４電撃部材１ａ〜１ｄに付着することを防止することが可能となっている。このため、この蚊駆除装置では、電撃グリッド１３等に蚊１９の死骸が残存し難くなり、別途にメンテナンス等を必要とせずに、電撃グリッド１３等を清潔に保つことが可能となり、長期間に亘って効率よく蚊１９を吸引しつつ電撃することが可能となっている。
【００５９】
また、この蚊駆除装置では、給電装置３が太陽光発電パネル５とバッテリ３１とを有している。このため、この蚊駆除装置では、各電撃グリッド１３に必要な電力について、別途の費用を必要とすることなく調達することが可能となる。また、バッテリ３１が太陽光発電パネル５で生じた電力を蓄電可能となっていることから、例えば、昼間の屋外でこの蚊駆除装置を使用し、夜間の屋外や屋内では、バッテリ３１に蓄えられた電力を利用してこの蚊駆除装置を使用するという方法も可能となっている。さらに、この蚊駆除装置では、リード線３３ｃ、３３ｄを介して太陽光発電パネル５とバッテリ３１とが接続されていることから、太陽光発電パネル５のみを屋外に設置し、蚊駆除装置を屋内に設置して蚊１９の駆除を行うことも可能となっている。
【００６０】
（実施例２）
図４に示すように、実施例２の蚊駆除装置は、実施例１の蚊駆除装置における第１電撃部材１ａと、給電装置３と、太陽光発電パネル５とを有している。
【００６１】
第１電撃部材１ａには、一対の基部３７ａ、３７ｂが固定されている。これらの基部３７ａ、３７ｂにより、第１電撃部材１ａは、地面に対して垂直に立設された状態で配置されている。
【００６２】
第１電撃部材１ａの裏面側における第１電極１５ｃと制御装置２９（図３参照）の正極とは、リード線３５ｋによって接続されている。第１電撃部材１ａの裏面側における第２電極１７ｃと制御装置２９の負極とは、リード線３５ｌによって接続されている。第１電撃部材１ａにおける他の構成及び給電装置３等の構成は、実施例１の蚊駆除装置と同様であり、同一の構成については同一の符号を付して構成に関する詳細な説明を省略する。
【００６３】
この蚊駆除装置では、第１電撃部材１ａの両面に形成された電撃グリッド１３により蚊１９に対する電撃を行い、蚊１９の駆除を行う。第１電撃部材１ａの全体が黒色を呈していることから。蚊１９は警戒感を持つことなく本能的に第１電撃部材１ａに近接する。そして、近接した蚊１９は、第１電撃部材１ａに作用するクーロン力により、第１電撃部材１ａに吸着されつつ、電撃を受けて焼殺されることとなる。
【００６４】
この蚊駆除装置では、第１電撃部材１ａを一枚だけを有していることから、実施例１の蚊駆除装置と比較して、蚊駆除装置自体を小型化することが可能となっている。このため、この蚊駆除装置によれば、その設置場所の制限等を受け難くなり、種々の場所において蚊１９の駆除を行うことが可能となる。また、制御装置２９は、第１電撃部材１ａにのみ通電を行えば足りることから蚊駆除装置が省エネルギーとなり、長時間に亘って蚊１９を駆除することも可能となる。他の作用効果は実施例１の蚊駆除装置と同様である。
【００６５】
（実施例３）
図５に示すように、実施例３の蚊駆除装置は、実施例１の蚊駆除装置における第１、２電撃部材１ａ、１ｂと、給電装置３と、太陽光発電パネル５０とを有している。
【００６６】
第１、２電撃部材１ａ、１ｂは、それぞれ家屋３９の壁面３９ａに立てかけられた状態で、壁面３９ａと固定されている。また、第１、２電撃部材１ａ、１ｂの前面には、人間等が不意に第１、２電撃部材１ａ、１ｂに接触等することを防止するための防護柵４１が設けられている。
【００６７】
第２電撃部材１ｂの裏面側における第１電極１５ｃと制御装置２９（図３参照）の正極とは、リード線３５ｍによって接続されている。第２電撃部材１ｂの裏面側における第２電極１７ｃと制御装置２９の負極とは、リード線３５ｎによって接続されている。なお、第１電撃部材１ａの各第１電極１５ｃ及び各第２電極１７ｃと、制御装置２９における正極又は負極との接続については、実施例１、２と同様である。
【００６８】
太陽光発電パネル５０は、家屋３９の屋根３９ｂに設けられている。この太陽光発電パネル５０も公用品が採用されている。太陽光発電パネル５０と、給電装置３内におけるバッテリ３１（図３参照）とは、リード線３３ｃ、３３ｄを介して電気的に接続されている。なお、この太陽光発電パネル５０は、給電装置３を介して第１、２電撃部材１ａ、１ｂにおける各電撃グリッド１３に起電力を供給可能である他、家屋３９に対しても電力を供給することが可能となっている。他の構成は、実施例１の蚊駆除装置と同様である。
【００６９】
家屋３９は人間等の居住空間であることから、蚊１９が集まり易くなっている。そこで、第１、２電撃部材１ａ、１ｂを壁面３９ａ設置することにより、家屋３９内に進入する前に蚊１９は第１、２電撃部材１ａ、１ｂ側に誘われ、かつ、第１、２電撃部材１ａ、１ｂに吸引される。そして、蚊１９は各電撃グリッド１３により電撃されることとなる。このため、この蚊駆除装置によれば、蚊１９が家屋３７内に進入することが好適に防止される。他の作用効果は、実施例１の蚊駆除装置と同様である。なお、この蚊駆除装置は、家屋３７に限らず、倉庫や家畜小屋等に設置することもできる。
【００７０】
（実施例４）
図６に示すように、実施例４の蚊駆除装置は第１〜４電撃部材１０ａ〜１０ｄと、給電装置３（図示略）と、太陽光発電パネル５（図示略）とを備えている。
【００７１】
第１〜４電撃部材１０ａ〜１０ｄは、いずれも同一の構成であり、実施例１の蚊駆除装置における電撃プレート７が表面及び裏面に設けられた基材９０で構成されている。なお、図６では、給電装置３及び太陽光発電パネル５の図示の他、第１〜４電撃部材１０ａ〜１０ｄにおける電撃グリッド１３及び各リード線３５ａ等の図示を省略している。後述の図７、８についても同様である。
【００７２】
基材９０は、波型形状に湾曲させて形成されたアクリル板によって得られている。このアクリル板も黒色を呈しており、第１〜４電撃部材１０ａ〜１０ｄも、全体として黒色を呈している。また、基材９０の高さ、すなわち、第１〜４電撃部材１０ａ〜１０ｄの高さＨも約８０ｃｍとされている。
【００７３】
第１〜４電撃部材１０ａ〜１０ｄは、それぞれ等間隔で配置されており、各一辺が中心軸４３に接合されている。これにより、蚊駆除装置を上面視した場合、第１〜４電撃部材１０ａ〜１０ｄは、略＋形状に配置されている。また、第１〜４電撃部材１０ａ〜１０ｄは地面に直接配置されている。
【００７４】
第１電撃部材１０ａの表面側と第４電撃部材１０ｄの裏面側との間には、第１誘引室２６ａが形成されている。同様に、第４電撃部材１０ｄの表面側と第２電撃部材１０ｂの裏面側との間に第２誘引室２６ｂが形成され、第２電撃部材１０ｂの表面側と第３電撃部材１０ｃの裏面側との間に第３誘引室２６ｃが形成されている。また、第３電撃部材１０ｃの表面側と第１電撃部材１０ａの裏面側との間に第４誘引室２６ｄが形成されている。第１〜４誘引室２６ａ〜２６ｄの各側面を形成する第１〜４電撃部材１０ａ〜１０ｄが黒色を呈していることから、第１〜４誘引室２６ａ〜２６ｄも、黒色を呈している。また、第１〜４誘引室２６ａ〜２６ｄも地上から約８０ｃｍの高さで開口した状態となっている。
【００７５】
第１〜４電撃部材１０ａ〜１０ｄにおけるアース接続も行っていない。なお、リード線３５ａ等を介した各電撃グリッド１３と給電装置３における制御装置２９との電気的な接続の他、この蚊駆除装置における他の構成は、実施例１の蚊駆除装置と同様である。
【００７６】
この蚊駆除装置においても、蚊１９が本能的に第１〜４誘引室２６ａ〜２６ｄに誘い込まれ易くなっている。そして、第１〜４電撃部材１０ａ〜１０ｄの近傍を飛翔する蚊１９は、第１〜４電撃部材１０ａ〜１０ｄに作用するクーロン力によって第１〜４電撃部材１０ａ〜１０ｄに吸引させられつつ、電撃グリッド１３によって電撃されることとなる。なお、基材９０もアクリル板によって得られていることから、実施例１におけるプラダン製の基材９と同様、静電気を帯電させ易くなっている。このため、第１〜４電撃部材１０ａ〜１０ｄに作用するクーロン力も大きくなっている。他の作用効果は実施例１の蚊駆除装置と同様である。
【００７７】
（実施例５）
実施例５の蚊駆除装置は、実施例１の蚊駆除装置における第１〜４電撃部材１ａ〜１ｄに替えて、図７に示すように、電撃部材１００ａを備えている。
【００７８】
電撃部材１００ａは、上記第１〜４電撃部材１ａ〜１ｄにおける電撃プレート７で構成されている。電撃部材１００ａは、電撃プレート７の電撃グリッド１３が内側になるように電撃部材１００ａが略直角に曲げ加工されることにより、垂直方向の断面が略正方形となる中空のハウジング４５が形成されている。この垂直方向の断面における一辺の長さは、約８０ｃｍとされている。
【００７９】
ハウジング４５の内部には、水平方向に延びる誘引室４５ａが形成されている。また、電撃部材１００ａにおける基板１１及び電撃グリッド１３が黒色を呈していることから、ハウジング４５及び誘引室４５ａは共に黒色を呈している。このハウジング４５は、地面に対して水平に寝かせた状態で設置されている。
【００８０】
誘引室４５ａの一端には第１出入口４５ｂが形成されており、誘引室４５ａの他端には第２出入口４５ｃが形成されている。また、ハウジング４５の垂直方向の断面における一辺の長さが約８０ｃｍとなっていることから、第１、２出入口４５ｂ、４５ｄは、それぞれ地上から約８０ｃｍの高さＨで開口している。さらに、誘引室４５ａを介して、これらの第１出入口４５ｂと第２出入口４５ｃとは、水平方向で互いに見通すことが可能となっている。他の構成は実施例１の蚊駆除装置と同様である。
【００８１】
この蚊駆除装置においても、蚊１９が本能的に誘引室４５ａに誘い込まれ易くなっている。そして、誘引室４５ａ内に進入した蚊１９は、電撃グリッド１３に吸引されて、電撃されることとなる。この蚊駆除装置では、電撃部材１００ａにおける基板１１の可撓性を利用することで、一枚の電撃部材１００ａによりハウジング４５を形成し、その内部に誘引室４５ａを形成することが可能となっている。このため、蚊駆除装置を製造するためのコストが低廉化されている。また、電撃グリッド１３が基板１１に印刷されて形成されていることから、電撃部材１００ａに曲げ加工を施した場合であっても、電撃グリッド１３が基板１１から剥離し難くなっている。他の作用効果は、実施例１の蚊駆除装置と同様である。
【００８２】
（実施例６）
図８に示すように、実施例６の蚊駆除装置は、実施例５の蚊駆除装置とほぼ同様の構成である。この蚊駆除装置では、電撃グリッド１３を内側にしつつ、電撃部材１００ａを略円形に曲げ加工することにより、垂直方向の断面が略円形となる筒状のハウジング４７が形成されている。この垂直方向の断面における直径Ｄの長さは、約８０ｃｍとされている。
【００８３】
ハウジング４７の内部には、水平方向に延びる誘引室４７ａが形成されている。誘引室４７ａの周囲には、電撃グリッド１３が配置されている。また、ハウジング４７及び誘引室４７ａも黒色を呈している。誘引室４７ａの一端には、誘引室４７ａと連通する第１出入口４７ｂが形成されており、誘引室４３ａの他端には、誘引室４７ａと連通する第２出入口４７ｃが形成されている。ハウジング４７の垂直方向の断面における直径Ｄが約８０ｃｍとなっていることから、第１、２出入口４７ｂ、４７ｄも約８０ｃｍの大きさで開口している。さらに、誘引室４７ａを介して、第１、２出入口４７ｂ、４７ｃは、互いに見通すことが可能となっている。また、ハウジング４７は地面に対して垂直に立てた状態で設置されており、第２出入口４７ｃは地面によって塞がれた状態となっている。他の構成は実施例１、５の蚊駆除装置と同様である。
【００８４】
この蚊駆除装置では、第２出入口４７ｃが地面によって塞がれた状態となっていることから、誘引室４７ａがより暗い状態となっている。このため、この蚊駆除装置においても、実施例５の蚊駆除装置と同様、誘引室４７ａに蚊１９を誘い込み、電撃グリッド１３の近傍の蚊１９を電撃グリッド１３に吸引しつつ電撃することが可能となっている。他の作用効果は実施例１、５の蚊駆除装置と同様である。
【００８５】
ここで、この蚊駆除装置については、図７に示す実施例５の蚊駆除装置のように地面に対して水平に寝かせた設置しても良い。この場合、誘引室４７ａを介して、第１、２出入口４７ｂ、４７ｃは、水平方向で互いに見通すことが可能となるとともに、直径Ｄが約８０ｃｍであることから、第１、２出入口４７ｂ、４７ｄが地上から約８０ｃｍの大きさで開口することとなる。なお、実施例５の蚊駆除装置についても同様に、地面に対して垂直に立てた状態で設置することもできる。
【００８６】
以上において、本発明を実施例１〜６に即して説明したが、本発明は上記実施例１〜６に制限されるものではなく、その趣旨を逸脱しない範囲で適宜変更して適用できることはいうまでもない。
【００８７】
例えば、実施例１〜６の蚊駆除装置において、二酸化炭素を詰めたボンベや化学反応によって二酸化炭素を発生させる反応装置等、種々の炭酸ガス発生手段を備えても良い。同じく、実施例１〜６の蚊駆除装置において、蚊１９が好む３５〜５５°Ｃ程度の熱を発生させる電熱ヒータ、懐炉等、種々の温熱発生手段を備えても良い。この際、上記の炭酸ガス発生手段を組み合わせて備えても良い。これらの場合には、より効率よく蚊１９を電撃により駆除することが可能となる。
【００８８】
また、実施例１の蚊駆除装置において、第１〜４誘引室２５ａ〜２５ｄの上面を構成する蓋部材を設けても良い。このような蓋部材は、例えば下皿２３と同一の構成とすることができる。この場合、第１〜４誘引室２５ａ〜２５ｄをより暗い状態とすることが可能となり、蚊１９が第１〜４誘引室２５ａ〜２５ｄに対して、より誘い込まれ易くなる。実施例４の蚊駆除装置においても、上記の下皿２３や蓋部材を設けることもできる。
【００８９】
さらに、実施例５の蚊駆除装置において、第１〜４電撃部材１ａ〜１ｄをそれぞれ組み合わせることによって、ハウジング４３を形成しても良い。また、第１〜３電撃部材１ａ〜１ｃをそれぞれ組み合わせることにより、垂直断面の形状が三角形となるハウジングを形成しても良い。さらに、第１電撃部材１ａと同一の構成を有する電撃部材を５枚以上用意し、これらを組み合わせることで垂直断面の形状が五角形以上となるハウジングを形成しても良い。
【００９０】
また、実施例５、６の蚊駆除装置において、ハウジング４５、４７の外周にも電撃グリッド１３が設けられても良い。この場合には、誘引室４５ａ、４７ａに進入した蚊１９だけでなく、誘引室４５ａ、４７ａに進入する前の蚊１９や、電撃を受けることなく誘引室４５ａ、４７ａを脱出した蚊１９についても、ハウジング４５、４７の外周に設けられた電撃グリッド１３が吸引しつつ電撃することが可能となる。また、ハウジング４５、４７を形成する際、電撃グリッド１３を外側にしつつ電撃部材１００ａに曲げ加工を施すことにより、ハウジング４５、４７の外周にのみ電撃グリッド１３が設けられる構成としても良い。
【産業上の利用可能性】
【００９１】
本発明は蚊の駆除装置に利用可能である。本発明の蚊駆除装置は、ヒトスジシマカ（Aedes (Stegomyia) albopictus）やアカイエカ（Culex (Culex) pipiens pallens Coquillett）の他、ネッタイシマカ（Aedes (Stegomyia) aegypti）等の蚊に有効である。
【符号の説明】
【００９２】
１ａ〜１ｄ、１０ａ〜１０ｄ…第１〜４電撃部材（板材）
３…給電装置
５、５０…太陽光発電パネル
７…電撃プレート
１１…基板
１３…電撃グリッド
１５…正極導線部
１７…負極導電部
１９…蚊
２５ａ〜２５ｄ、２６ａ〜２６ｄ…第１〜４誘引室（誘引室）
３１…バッテリ
４５ａ、４７ａ…誘引室
１００ａ…電撃部材（板材）
【図１】
2013014760.tif 000004
【図２】
2013014760.tif 000005
【図３】
2013014760.tif 000006
【図４】
2013014760.tif 000007
【図５】
2013014760.tif 000008
【図６】
2013014760.tif 000009
【図７】
2013014760.tif 000010
【図８】
2013014760.tif 000011
【国際調査報告】
2013014760.tif 000012
2013014760.tif 000013
2013014760.tif 000014
2013014760.tif 000015